(57)【要約】【課題】触媒ヒータの取り付けが簡単で、シール構造の信頼性も高い脱臭装置を提供する。【解決手段】螺旋状に巻回された金属薄板或いは一部に孔を設けた複数の金属薄板からなるとともに触媒を担持したフィン１ａと、前記フィン１ａを加熱する触媒ヒータ２と、前記フィン１ａ、前記触媒ヒータ２を収容するとともに、空気取り入れ用の入口パイプ４、空気排出用の出口パイプ５を有するパイプ状のケース３と、前記ケース３の開口を覆う閉塞部６とを備え、前記閉塞部６は、中央部が前記触媒ヒータ２に固着され、外周部は前記ケース３の端部に固着される構成としたもので、触媒ヒータ２とケース３とが閉塞部６のみを介して固定されるので、シール性が向上し、信頼性、脱臭性能が向上し、さらに部品点数削減により組立も簡素化される。【選択図】図１
2005211864.tif 000002
【特許請求の範囲】
【請求項１】
螺旋状に巻回された金属薄板或いは一部に孔を設けた複数の金属薄板からなるとともに触媒を担持したフィンと、前記フィンを加熱する触媒ヒータと、前記フィン、前記触媒ヒータを収容するとともに、空気取り入れ用の入口パイプ、空気排出用の出口パイプを有するパイプ状のケースと、前記ケースの開口を覆う閉塞部とを備え、前記閉塞部は、中央部が前記触媒ヒータに固着され、外周部は前記ケースの端部に固着される構成とした脱臭装置。
【請求項２】
ケースは一側に入口パイプを、他側に出口パイプを有し、閉塞部は前記入口パイプ側の開口を覆うように構成した請求項１記載の脱臭装置。
【請求項３】
閉塞部の中央部と触媒ヒータとをかしめにより固着した請求項１または２記載の脱臭装置。
【請求項４】
閉塞部の中央部と触媒ヒータとをロウ付けにより固着した請求項１または２記載の脱臭装置。
【請求項５】
閉塞部の触媒ヒータを固定する部分に、フランジを内方に突出させて設けた請求項１〜４のいずれか１項に記載の脱臭装置。
【請求項６】
閉塞部の触媒ヒータを固定する部分に、フランジを外方に突出させて設けた請求項１〜４のいずれか１項に記載の脱臭装置。
【請求項７】
閉塞部を内側に向けて凸形状に形成した請求項１〜６のいずれか１項に記載の脱臭装置。
【請求項８】
請求項１〜７のいずれか１項に記載の脱臭装置を備えた生ごみ処理機。
【発明の詳細な説明】
【技術分野】
【０００１】
本発明は台所で発生する生ごみを乾燥等の手段で処理する生ごみ処理機等から発生する臭気成分や油煙などを浄化する脱臭装置に関するものである。
【背景技術】
【０００２】
従来のこの種の脱臭装置について、図６を用いて説明する。
【０００３】
図６において、脱臭装置２９は、金属パイプ（図示せず）に一部に孔を設けた略円形の金属薄板３０ａを複数固定して形成され、前記金属薄板３０ａに触媒を担持したフィン３０と、前記金属パイプ内に装着した触媒ヒータ３１と、前記フィン３０と前記触媒ヒータ３１を収容するパイプ状のケース３２と、前記ケース３２内に空気を取り入れる入口パイプ３３と、前記ケース３２から空気を排出する出口パイプ３４と、前記ケース３２の底面を構成する閉塞部３５と、前記触媒ヒータ３１にかしめられたカナグ３６と、閉塞部３５とカナグ３６との間に介在されるシール用のパッキン３７と、ネジ３８と、ケース３２の上面をふさぐウエフタ３９と、ネジ４０と、フィン３０の外側に密着させた金属薄板からなるフィンオサエ４１と、このフィンオサエ４１とケース３２の間に設けた断熱材４２と、ケース３２を断熱する１対のケース断熱材４３、４４から構成されている（例えば、特許文献１参照）。
【０００４】
フィン３０を、金属パイプに金属薄板を螺旋状に巻回し、その金属薄板に触媒を担持して形成したものもある。
【特許文献１】特開平９−１５５１５９号公報
【発明の開示】
【発明が解決しようとする課題】
【０００５】
しかしながら、前記従来の脱臭装置の構成では、触媒ヒータ３１の下端の固定を、触媒ヒータ３１にカナグ３６をかしめ、そのカナグ３６をパッキン３７を介して閉塞部３５にネジ３８でねじ止めして行なっていたので、構造が複雑になりシールの信頼性も低く、組立にも時間がかかるため価格が高くなるという課題を有していた。
【０００６】
本発明は、前記従来の課題を解決するもので、触媒ヒータの取付構成を簡素化し、安価な脱臭装置を提供することを目的とする。
【課題を解決するための手段】
【０００７】
前記従来の課題を解決するために、本発明の脱臭装置は、螺旋状に巻回された金属薄板或いは一部に孔を設けた複数の金属薄板からなるとともに触媒を担持したフィンと、前記フィンを加熱する触媒ヒータと、前記フィン、前記触媒ヒータを収容するとともに、空気取り入れ用の入口パイプ、空気排出用の出口パイプを有するパイプ状のケースと、前記ケースの開口を覆う閉塞部とを備え、前記閉塞部は、中央部が前記触媒ヒータに固着され、外周部は前記ケースの端部に固着される構成としたもので、触媒ヒータとケースとが閉塞部のみを介して固定されるので、触媒ヒータ取付部のシールの信頼性が向上することになり、脱臭性能が向上し、さらに部品点数削減により組立も簡素化されるため低価格の脱臭装置を提供することができる。
【発明の効果】
【０００８】
本発明の脱臭装置は、触媒ヒータの取り付け構成が簡素化され安価に形成できるとともに、ガスのシール性にも優れているものである。
【発明を実施するための最良の形態】
【０００９】
第１の発明は、螺旋状に巻回された金属薄板或いは一部に孔を設けた複数の金属薄板からなるとともに触媒を担持したフィンと、前記フィンを加熱する触媒ヒータと、前記フィン、前記触媒ヒータを収容するとともに、空気取り入れ用の入口パイプ、空気排出用の出口パイプを有するパイプ状のケースと、前記ケースの開口を覆う閉塞部とを備え、前記閉塞部は、中央部が前記触媒ヒータに固着され、外周部は前記ケースの端部に固着される構成としたもので、触媒ヒータとケースとが閉塞部のみを介して固定されるので、触媒ヒータ取付部のシールの信頼性が向上することになり、脱臭性能が向上し、さらに部品点数削減により組立も簡素化されるため低価格の脱臭装置を提供することができる。
【００１０】
第２の発明は、ケースは一側に入口パイプを、他側に出口パイプを有し、閉塞部は前記入口パイプ側の開口を覆うように構成したもので、触媒ヒータの入口パイプ側端部とケースとが閉塞部のみを介して固定されるので、未処理ガスが流入する側の触媒ヒータ取付部のシールの信頼性が向上することになり、脱臭性能が向上し、さらに部品点数削減により組立も簡素化されるため低価格の脱臭装置を提供することができる。
【００１１】
第３の発明は、特に、第１または第２の発明の閉塞部の中央部と触媒ヒータとをかしめにより固定したもので、コーキング効果でシール性を保ちながら触媒ヒータを固定することができるので作業が簡素化される。
【００１２】
第４の発明は、特に、第１または第２の発明の閉塞部の中央部と触媒ヒータとをロウ付けにより固定したもので、ロウがシール材の役目も果たすので、シールの信頼性がさらに増すものである。
【００１３】
第５の発明は、特に、第１〜４のいずれか１つの発明の閉塞部の触媒ヒータを固定する部分にフランジを内方に突出させて設けたもので、フランジの部分をかしめやロウ付けで固定することで、触媒ヒータの取付時の傾きが防止でき、さらにかしめや、ロウ付け面積が広くなり、信頼性がさらに向上する。また結露が発生して酸成分が流入しても、フランジの部分で触媒ヒータのかしめ部が保護され、腐食しにくくなる。
【００１４】
第６の発明は、特に、第１〜４のいずれか１つの発明の閉塞部の触媒ヒータを固定する部分にフランジを外方に突出させて設けたもので、閉塞部と触媒ヒータを固定するためのかしめ作業、ロウ付け作業が外側からできるので作業が容易である。
【００１５】
第７の発明は、特に、第１〜６のいずれか１つの発明の閉塞部を内側に向けて凸形状に形成したもので、結露して酸成分が流入しても、それらが触媒ヒータ側に堆積することが無く、触媒ヒータの腐食を防止することができる。
【００１６】
第８の発明は、特に、第１〜７のいずれか１項に記載の脱臭装置を備えた生ごみ処理機で、脱臭機能に優れた脱臭装置を備えた生ごみ処理機を提供できる。
【００１７】
以下、本発明の実施の形態について、図面を参照しながら説明する。なお、この実施の形態によって本発明が限定されるものではない。
【００１８】
（実施の形態１）
図１は、本発明の第１の実施の形態における脱臭装置の断面図である。
【００１９】
図１において、脱臭装置１は、金属パイプ（図示せず）上に形成されたフィン１ａと、前記金属パイプ内に装着された触媒ヒータ２と、前記フィン１ａと前記触媒ヒータ２を収容するパイプ状のケース３と、前記ケース３内に臭気ガスを含む空気を取り入れる入口パイプ４と、ケース３から浄化された空気を排出する出口パイプ５と、ケース３の底面を構成するとともに中央に触媒ヒータ２が貫通するフランジ７を内方に突出させて形成した閉塞部であるソコイタ６と、ケース３の上端にネジ９で固定されるウエフタ８から構成されている。フィン１ａは、金属パイプに金属薄板を螺旋状に巻回し、または金属パイプに一部に孔を設けた円形の金属薄板を複数固定し、その金属薄板に触媒を担持して形成されている。
【００２０】
フィン１ａの外側に金属薄板からなるフィンオサエ１０を密着して配置し、フィン１ａとの間で臭気ガスの浄化流路を構成している。フィンオサエ１０とケース３との間に、断熱材１１を配置し、フィン１ａからの熱の放散を防いでいる。ケース３の外側にはケース断熱材１２、１３を備えている。なお排ガス等の臭気ガスは、出口パイプ５に連通された図示しない吸引ファンにより強制排気するようにしている。
【００２１】
なお、前記脱臭装置１は、生ごみを乾燥またはバイオ処理する際に発生する臭気を低減するために生ごみ処理機（図示せず）に搭載されているが、臭気を発生する機器に搭載すれば、生ごみ処理機に特に限らず、臭気低減の効果を有するものである。
【００２２】
次に、本実施の形態における脱臭装置１の組み立て方法を説明する。
【００２３】
最初に、触媒ヒータ２の入口パイプ４側（上流側）をソコイタ６のフランジ７に貫通させ、そのフランジ７をかしめ、溶接或いはろう付けで触媒ヒータ２に固定する。次に、触媒ヒータ２を、予め入口パイプ４と出口パイプ５を設けたケース３の上流側から（図では、下方から）挿入し、同時にソコイタ６をケース３の端部に圧入し、必要に応じてかしめ、溶接、ろう付け等の手段でケース３に気密に取り付ける。次に、フィン１ａの外周にフィンオサエ１０、断熱材１１を巻きつけた状態で、フィン１ａの金属パイプを上方から触媒ヒータ３に挿通させてケース３内に収納し、ウエフタ８の中央に設けた開口８ａに触媒ヒータ２を通して、最終的にウエフタ８を、ネジ９でケース３にネジ止めして、組み立てが完了する。
【００２４】
以上のように構成された脱臭装置１について、以下にその動作、作用を説明する。
【００２５】
まず、触媒ヒータ２に通電すると、それによる発熱がフィン１ａに速やかに伝達され、フィン１ａの表面に担持している触媒が活性化される。そして機器や装置内の排ガス経路（図示せず）に接続された入口パイプ４から流入した排ガスは、フィン１ａによって螺旋状に若しくは各金属薄板に設けた穴を通過しながら上昇し、出口パイプ５からガスが排出される。この間に、フィン１ａの表面に担持した触媒が排ガスを浄化して、出口パイプ５から出るときは清浄なガスとなっているものである。
【００２６】
以上のように、本実施の形態によれば、触媒ヒータ２をケース３のソコイタ６に直接固定しているため、未処理ガスが流入してくる部分のシールの信頼性が向上するととともに部品点数も少なくなり、組立が簡素化され安価に形成することができる。
【００２７】
また、ソコイタ６のフランジ７の高さを、図２に示すように、高めにすることにより、触媒ヒータ２を垂直に固定する部分が長くなり、より正確な垂直度が得られ組み立てが容易になるとともに、シール効果が高まり、さらにかしめ巾が長くなることにより、高いシール効果を長期に渡って維持することができるものである。また、触媒ヒータ２が、排ガスに含まれる結露水に含まれる微量の酸成分による影響を受け難くすることができるものである。
【００２８】
（実施の形態２）
図３は、本発明の第２の実施の形態における脱臭装置の要部断面図である。なお、上記実施の形態と同一部分については、同一符号を付してその説明を省略する。
【００２９】
本実施の形態は、図３に示すように、閉塞部６の中央が凸形状になるように構成したもので、微量の酸成分を含む結露水が生じてもそれが、触媒ヒータ２側に堆積することが無いので、触媒ヒータ２がそれらの影響を受けにくくなり、また腐食も起こりにくくなるなるものである。
【００３０】
（実施の形態３）
図４は、本発明の第３の実施の形態における脱臭装置の要部断面図である。なお、上記実施の形態と同一部分については、同一符号を付してその説明を省略する。
【００３１】
本実施の形態は、図４に示すように、フランジ７をソコイタ６の外方に突出させて形成したもので、フランジ７は、触媒ヒータ２を垂直に固定するガイドの役目をなすとともに、かしめ巾を十分確保することができる。さらに、触媒ヒータ２の組立作業、カシメ、ロウ付けなどの固定作業が外側から行えるので、組立性が向上するものである。さらに、脱臭装置１の完成後のカシメやロウ付け状態のチェックや修正が容易にできるものである。
【００３２】
（実施の形態４）
図５は、本発明の第４の実施の形態における脱臭装置の要部断面図である。なお、上記実施の形態と同一部分については、同一符号を付してその説明を省略する。
【００３３】
本実施の形態は、図５に示すように、フランジ７をソコイタ６の外方に突出させるとともに、ソコイタ６の中央を内方に向けて突出するように形成したもので、微量の酸成分を含む結露水が生じてもそれが、触媒ヒータ２側に堆積することが無いので、、触媒ヒータ２がそれらの影響を受けにくくなり、また腐食も起こりにくくなるなるものである。
【産業上の利用可能性】
【００３４】
以上のように、本発明にかかる脱臭装置は、触媒ヒータの取り付け構成が簡素化され安価に形成できるとともに、ガスのシール性にも優れているので、脱臭装置を備えた家庭用、業務用の各種生ごみ処理機、厨芥処理機、汚水・汚物処理機・装置などに適用できる。
【図面の簡単な説明】
【００３５】
【図１】本発明の実施の形態１における脱臭装置の断面図
【図２】同脱臭装置の閉塞部の他の例を示す要部断面図
【図３】本発明の実施の形態２における脱臭装置の要部断面図
【図４】本発明の実施の形態３における脱臭装置の要部断面図
【図５】本発明の実施の形態４における脱臭装置の要部断面図
【図６】従来の脱臭装置の断面図
【符号の説明】
【００３６】
１    脱臭装置
１ａ  フィン
２    触媒ヒータ
３    ケース
４    入口パイプ
５    出口パイプ
６    ソコイタ（閉塞部）
７    フランジ
【図１】
2005211864.tif 000003
【図２】
2005211864.tif 000004
【図３】
2005211864.tif 000005
【図４】
2005211864.tif 000006
【図５】
2005211864.tif 000007
【図６】
2005211864.tif 000008